(57)【要約】【課題】テーブルの所在を一目で容易に確認することができ、また、収納ないし使用に際して簡単な操作で取り扱うことが可能であり、操作時の安全性にも優れた座席用テーブルを提供する。【解決手段】着座者の前方に位置する座席１０の側方に、テーブルトップ６１を立てた状態で収納する縦溝５３を形成し、テーブルトップ６１は、縦溝５３の開口より露出した一側端より縦溝５３から上方に引き出され、縦溝５３内に未だ残る他側端を回動中心として側方に傾倒され、上面が略水平な状態に保持される。【選択図】図１
2016120771.tif 000002
【特許請求の範囲】
【請求項１】
座席の側方に収納され、使用時に着座者の前方へ展開させるテーブルトップを備えた座席用テーブルにおいて、
着座者の前方に位置する座席の側方に、前記テーブルトップを立てた状態で収納する縦溝を形成し、
前記テーブルトップは、前記縦溝の開口より露出した一側端より前記縦溝から上方に引き出され、前記縦溝内に未だ残る他側端を回動中心として側方に傾倒され、上面が略水平な状態に保持されることを特徴とする座席用テーブル。
【請求項２】
前記縦溝は、座席の側方より外側に向かい斜め下方に傾斜するように形成され、
前記テーブルトップは、前記縦溝の傾斜に沿って斜めに立てた状態で該縦溝内に収納されることを特徴とする請求項１に記載の座席用テーブル。
【請求項３】
前記座席の側方に、上面側が肘掛けをなす袖部が設けられ、
前記袖部に前記縦溝が形成され、該縦溝は、前記袖部の内側面で細幅状に開口し、該袖部の内部を下方に延びることを特徴とする請求項１または２に記載の座席用テーブル。
【請求項４】
前記テーブルトップの一端側には、前記縦溝内に収納されている際に、該縦溝の開口より露出して着座者が指を掛ける取手が設けられたことを特徴とする請求項１，２または３に記載の座席用テーブル。
【請求項５】
前記テーブルトップの他端側には、前記縦溝から引き出す際に、該縦溝の開口内側に留まる抜け止め用のストッパが設けられ、該ストッパが回動中心となることを特徴とする請求項１，２，３または４に記載の座席用テーブル。
【請求項６】
前記ストッパには、前記テーブルトップを上面が略水平な状態に傾倒させた際に、当該回転角度に保持するための角度保持部が設けられたことを特徴とする請求項５に記載の座席用テーブル。
【請求項７】
前記テーブルトップは、両側方向に複数のユニットに分割され、各ユニット同士はそれぞれ折曲可能にヒンジを介して連結され、前記縦溝内に収納されている際に、各ユニットは互いに上面が同一平面上に並び、前記縦溝から各ユニット単位で引き出し可能であり、
前記各ユニット同士の間のヒンジに、前記縦溝の開口より引き出されたユニットを、未だ縦溝内のユニットに対して所定角度に折れ曲がり略水平な状態に保持する一方、前記縦溝の開口より引き出されたユニット同士では互いに１８０度に連なる状態に保持する角度保持部が設けられたことを特徴とする請求項１，２，３，４，５または６に記載の座席用テーブル。
【発明の詳細な説明】
【技術分野】
【０００１】
本発明は、座席の側方に収納され、使用時に着座者の前方へ展開させるテーブルトップを備えた座席用テーブルに関し、特に、鉄道車両等の乗物用の座席に適用される。
【背景技術】
【０００２】
従来、鉄道車両等に設置する乗物用の座席には、着座者の便宜を図るためにテーブルが設けられているものがある。このような座席用テーブルとしては、例えば図１０に示すように、座席の側方にある肘掛けに設けられたものが知られている。すなわち、肘掛けの上面側が開閉可能なカバーとして構成され、その内部に折り畳み式のテーブルが収納されるタイプが多かった。
【０００３】
かかるテーブルを使用する際は、肘掛けのカバーを開き（図１０（ａ）参照）、肘掛け内部よりテーブルを引き出しつつ前方へ１８０度回動させた後（図１０（ｂ）参照）、カバーを閉じて（図１０（ａ）参照）、さらにテーブルを側方へ９０度傾倒させる（図１０（ｃ）参照）。これにより、テーブルは着座者の前方にて略水平な状態に展開される。また、テーブル面積を大きくしたい場合は、２枚に折り畳まれたものを開いて使用することもできた（図１０（ｄ）参照）。
【０００４】
このように、図１０に示した座席用テーブルでは、収納ないし展開させるための回転ヒンジが、前後方向および両側方向の２方向に回動するように構成されていた。従って、テーブルを使用する際は、収納状態から引き出す動作と、前方に回動させる動作、さらに側方に回動させる動作が必要であった。このような一連の動作は面倒であり、より容易に取り扱うことができるテーブルとして、例えば特許文献１に開示されたものがある。
【０００５】
すなわち、特許文献１には、テーブルを収納したハウジングを座席に対して所望の水平位置や高さ位置に調整してから、ハウジングの上方のカバーを開いて、その内部に収納された２枚に折り畳まれたテーブルを引き出した後、テーブルを側方へ回動させて水平な使用状態に支持するための構造が開示されている。かかる構造によれば、テーブル自体を展開するためには、ハウジングから引き出した後、そのまま側方へ回動させてから、２枚のうち一方を他方に対して上方へ回動させて、それぞれ略水平に連なる状態としていた。
【先行技術文献】
【特許文献】
【０００６】
【特許文献１】特開２００８−７４３９６号公報
【発明の概要】
【発明が解決しようとする課題】
【０００７】
しかしながら、前述した従来の座席用テーブルでは、何れのタイプも、肘掛けやハウジングの上面側が開閉可能なカバーとなっており、その内部にテーブルが収納されている。そのため、一見しただけではテーブルの存在が判り辛く、テーブルに気づくことなく、結局使用できない場合も多いという問題があった。
【０００８】
また、図１０に示した座席用テーブルでは、テーブルを使用する際に、肘掛けから上方に引き出したテーブルを、前方へ回動してから側方に回動させるという異なる２方向への操作が必要であった。かかる操作が使用時のみならず収納時も面倒であり、使い勝手が良くないという問題があった。また、２枚に折り畳まれたテーブルを開く操作も面倒であり、この操作の際にテーブルの構造上、指を挟んでしまう虞もあった。
【０００９】
さらに、特許文献１に記載された座席用テーブルでは、テーブル自体を展開するための操作は、前方への回動操作がない分、１方向へ回動させる操作だけで足りるが、その前提として、着座者の直ぐ横にあるハウジングから取り出したテーブルを、着座者に干渉しない所望の水平位置に調整することが前提となり、かかる操作が面倒であると共に、支持機構も複雑で高価になり、コストが嵩むという問題があった。
【００１０】
しかも、前述の図１０に示した座席用テーブルと同様に、テーブルは２枚に折り畳まれた状態で収納されていた。従って、テーブルを使用する際には、テーブル全体を異なる２方向へ回動させる操作は不要であっても、折り畳まれた２枚のテーブルのうち一方を他方に対して上方へ回動させる動作が必要となる。かかる操作が面倒であると共に、その構造上、指を挟んでしまう虞もあった。
【００１１】
本発明は、以上のような従来の技術の有する問題点に着目してなされたものであり、テーブルの所在を一目で容易に確認することができ、また、収納ないし使用に際して簡単な操作で取り扱うことが可能であり、操作時の安全性にも優れた座席用テーブルを提供することを目的としている。
【課題を解決するための手段】
【００１２】
前述した目的を達成するための本発明の要旨とするところは、以下の各項の発明に存する。  
［１］座席（１０）の側方に収納され、使用時に着座者の前方へ展開させるテーブルトップ（６１）を備えた座席用テーブル（６０）において、
着座者の前方に位置する座席（１０）の側方に、前記テーブルトップ（６１）を立てた状態で収納する縦溝（５３）を形成し、
前記テーブルトップ（６１）は、前記縦溝（５３）の開口より露出した一側端より前記縦溝（５３）から上方に引き出され、前記縦溝（５３）内に未だ残る他側端を回動中心として側方に傾倒され、上面が略水平な状態に保持されることを特徴とする座席用テーブル（６０）。
【００１３】
［２］前記縦溝（５３）は、座席（１０）の側方より外側に向かい斜め下方に傾斜するように形成され、
前記テーブルトップ（６１）は、前記縦溝（５３）の傾斜に沿って斜めに立てた状態で該縦溝（５３）内に収納されることを特徴とする前記［１］に記載の座席用テーブル（６０）。
【００１４】
［３］前記座席（１０）の側方に、上面側が肘掛け（５０）をなす袖部（５１）が設けられ、
前記袖部（５１）に前記縦溝（５３）が形成され、該縦溝（５３）は、前記袖部（５１）の内側面で細幅状に開口し、該袖部（５１）の内部を下方に延びることを特徴とする前記［１］または［２］に記載の座席用テーブル（６０）。
【００１５】
［４］前記テーブルトップ（６１）の一端側（６２）には、前記縦溝（５３）内に収納されている際に、該縦溝（５３）の開口より露出して着座者が指を掛ける取手（６２ａ）が設けられたことを特徴とする前記［１］，［２］または［３］に記載の座席用テーブル（６０）。
【００１６】
［５］前記テーブルトップ（６１）の他端側（６３）には、前記縦溝（５３）から引き出す際に、該縦溝（５３）の開口内側に留まる抜け止め用のストッパ（６４）が設けられ、該ストッパ（６４）が回動中心となることを特徴とする前記［１］，［２］，［３］または［４］に記載の座席用テーブル（６０）。
【００１７】
［６］前記ストッパ（６４）には、前記テーブルトップ（６１）を上面が略水平な状態に傾倒させた際に、当該回転角度に保持するための角度保持部が設けられたことを特徴とする前記［５］に記載の座席用テーブル（６０）。
【００１８】
［７］前記テーブルトップ（６１）は、両側方向に複数のユニット（６１ａ，６１ｂ）に分割され、各ユニット（６１ａ，６１ｂ）同士はそれぞれ折曲可能にヒンジ（６１ｃ）を介して連結され、前記縦溝（５３）内に収納されている際に、各ユニット（６１ａ，６１ｂ）は互いに上面が同一平面上に並び、前記縦溝（５３）から各ユニット（６１ａ，６１ｂ）単位で引き出し可能であり、
前記各ユニット（６１ａ，６１ｂ）同士の間のヒンジ（６１ｃ）に、前記縦溝（５３）の開口より引き出されたユニット（６１ａ）を、未だ縦溝（５３）内のユニット（６１ｂ）に対して所定角度に折れ曲がり略水平な状態に保持する一方、前記縦溝（５３）の開口より引き出されたユニット（６１ａ，６１ｂ）同士では互いに１８０度に連なる状態に保持する角度保持部が設けられたことを特徴とする前記［１］，［２］，［３］，［４］，［５］または［６］に記載の座席用テーブル（６０）。
【００１９】
次に、前述した解決手段に基づく作用を説明する。  
前記［１］に記載の座席用テーブル（６０）によれば、その主要部であるテーブルトップ（６１）は、着座者の前方に位置する座席（１０）の側方の縦溝（５３）内で、折り畳まれることなく上下に延びる立てた状態で収納される。このとき、テーブルトップ（６１）の上方を向く一側端は、縦溝（５３）の上端の開口より露出しており、その存在を外部から容易に目視することができる。
【００２０】
テーブルトップ（６１）を使用する際は、その一側端より縦溝（５３）からそのまま上方に引き出し、縦溝（５３）内に未だ残る他側端を回動中心として側方に傾倒させる。このように引き出し傾倒させるだけの一連の動作で、テーブルトップ（６１）は上面が略水平な状態に保持される。なお、テーブルトップ（６１）を収納する際は、そのまま逆の動作で縦溝（５３）内に戻せば良い。このような簡単な操作だけで取り扱うことができ、肘掛けのカバーや折り畳まれて重なり合うようなテーブルを開閉する必要はなく、安全性も向上する。
【００２１】
前記［２］に記載の座席用テーブル（６０）によれば、前記縦溝（５３）は、座席（１０）の側方より外側に向かい斜め下方に傾斜するように形成され、テーブルトップ（６１）は、前記縦溝（５３）の傾斜に沿って斜めに立てた状態で該縦溝（５３）内に収納される。これにより、テーブルトップ（６１）を鉛直方向に出し入れする場合に比べて、引き上げ操作の負担が軽減されると共に、戻す際の落下速度も緩和される。
【００２２】
前記［３］に記載の座席用テーブル（６０）によれば、座席（１０）の側方に、上面側が肘掛け（５０）をなす袖部（５１）が設けられており、この袖部（５１）において、着座者の前方の位置に縦溝（５３）が形成されている。そして、縦溝（５３）は、袖部（５１）の内側面で細幅状に開口し、該袖部（５１）の内部を下方に延びている。このように、袖部（５１）の内部をそのまま縦溝（５３）として活用することができる。ここで肘掛け（５０）となる上面側は、開閉可能なカバーとして構成する必要はない。
【００２３】
前記［４］に記載の座席用テーブル（６０）によれば、テーブルトップ（６１）の一端側（６２）には、縦溝（５３）内に収納されている際に、該縦溝（５３）の開口より露出して着座者が指を掛ける取手（６２ａ）が設けられている。そのため、テーブルトップ（６１）の一端側（６２）を掴みやすく、縦溝（５３）内から容易に引き出すことができる。
【００２４】
前記［５］に記載の座席用テーブル（６０）によれば、テーブルトップ（６１）の他端側（６３）には、縦溝（５３）から引き出す際に、該縦溝（５３）の開口内側に留まる抜け止め用のストッパ（６４）が設けられ、該ストッパ（６４）が回動中心となる。これにより、テーブルトップ（６１）を引き出す際に抜け落ちることを防止でき、またストッパ（６４）が回動中心を兼ねるので、いっそう構成を簡易化することができる。
【００２５】
前記［６］に記載の座席用テーブル（６０）によれば、前記ストッパ（６４）に、テーブルトップ（６１）を上面が略水平な状態に傾倒させた際に、当該回転角度に保持するための角度保持部を設ける。これにより、回動中心を兼ねたストッパ（６４）自体の構成によって、テーブルトップ（６１）を略水平な状態に確実に保持することができる。
【００２６】
前記［７］に記載の座席用テーブル（６０）によれば、テーブルトップ（６１）は、その両側方向に複数のユニット（６１ａ，６１ｂ）に分割され、各ユニット（６１ａ，６１ｂ）同士はそれぞれ折曲可能にヒンジ（６１ｃ）を介して連結される。かかるテーブルトップ（６１）は、前記縦溝（５３）内に収納されている際に、各ユニット（６１ａ，６１ｂ）は互いに上面が同一平面上に並んだ立てた状態となり、前記縦溝（５３）から各ユニット（６１ａ，６１ｂ）単位で引き出すことが可能となる。
【００２７】
各ユニット（６１ａ，６１ｂ）同士の間のヒンジ（６１ｃ）には、前記縦溝（５３）の開口より引き出されたユニット（６１ａ）を、未だ縦溝（５３）内のユニット（６１ｂ）に対して所定角度に折れ曲がり略水平な状態に保持する一方、前記縦溝（５３）の開口より引き出されたユニット（６１ａ，６１ｂ）同士では互いに１８０度に連なる状態に保持する角度保持部を設ける。
【００２８】
ここで前記縦溝（５３）が延びる方向が、鉛直方向ないし鉛直方向に交差するよう外側に向かい斜め下方に傾斜する方向であれば、縦溝（５３）内のユニット（６１ｂ）と縦溝（５３）外の略水平なユニット（６１ａ）の成す角度θは、直角（θ＝９０度）ないし鈍角（９０度＜θ＜１８０度）の範囲内の所定角度となり、当該角度に保持される。
【００２９】
また、縦溝（５３）外で略水平に並ぶ各ユニット（６１ａ，６１ｂ）間の角度は、１８０度に保持されるが、この角度規制は、１８０度より開く方向への規制のみならず、閉じる方向への規制を含めても良い。あるいは、１８０度より開く方向への規制だけとし、閉じる方向への規制は、あくまで前記所定角度までに設定した上で、最外端にあるユニット（６１ａ）を前記座席（１０）の反対側の肘掛け上に支持するようにして、閉じる方向への規制に代えても良いが、この場合の各ユニット（６１ａ，６１ｂ）の数は２枚となる。
【発明の効果】
【００３０】
本発明に係る座席用テーブルによれば、テーブルの所在を一目で容易に確認することができ、また、収納ないし使用に際して簡単な操作で取り扱うことができる。さらに、テーブルの操作時の安全性も向上させることができる。
【図面の簡単な説明】
【００３１】
【図１】本発明の実施の形態に係る座席がアップライト姿勢にある状態を概略的に示す側面図である。
【図２】本発明の実施の形態に係る座席を概略的に示す正面図である。
【図３】本発明の実施の形態に係る座席を示す平面図である。
【図４】本発明の実施の形態に係る座席がリクライニング姿勢にある状態を概略的に示す側面図である。
【図５】本発明の実施の形態に係るテーブルトップの収納状態を示す（ａ）平面図と（ｂ）正面図である。
【図６】本発明の実施の形態に係るテーブルトップのうち一部のみ引き出した使用状態を示す（ａ）平面図と（ｂ）正面図である。
【図７】本発明の実施の形態に係るテーブルトップの全てを引き出した使用状態を示す（ａ）平面図と（ｂ）正面図、（ｃ）側面図である。
【図８】本発明の実施の形態に係る袖部ガイド機構の動きを説明する一連の側面図である。
【図９】本発明の実施の形態に係るテーブルトップの操作を説明する一連の平面図である。
【図１０】従来のテーブルトップの操作を説明する一連の説明図である。
【発明を実施するための形態】
【００３２】
以下、図面に基づき本発明を代表する一実施の形態を説明する。  
図１〜図９は、本発明の一実施の形態を示している。  
本実施の形態に係る座席１０は、例えば鉄道車両等の乗物の客室内に設置されるものであり、座部２０の後端側に背凭れ３０が支持され、座部２０および背凭れ３０が互いに連動するリクライニング動作が可能に構成されている。
【００３３】
かかる座席１０に、座席用テーブル６０ないし座席用テーブル装置６０ａが装備されている。ここで座席用テーブル６０とは、その主要部をなすテーブルトップ６１と、これを直接支持する機構を指し、座席用テーブル装置６０ａとは、テーブルトップ６１と、これを直接支持する機構だけでなく、テーブルトップ６１を設ける後述の袖部５１や袖部ガイド機構も含む概念とする。
【００３４】
座席１０のリクライニング動作では、詳しくは後述するが、座部２０の後端側が後退しつつ前端側より大きく下降し、該座部２０の動きに伴い背凭れ３０も後方へ傾きながら下降する。このようなリクライニング動作による座部２０ないし背凭れ３０の姿勢の変化に拘わらず、テーブルトップ６１は、詳しくは後述するが、ガイド機構によって、着座者の前方へ展開された使用時には、上面が略水平な状態に保たれると共に、着座者との距離も一定に保たれるように構成されている。以下、座席１０の各部の構成を順に説明する。
【００３５】
図１〜図３に示すように、座席１０は、フロア上に固定されたベースフレーム１１上に、２人掛けの座部２０および背凭れ３０が支持されている。また、各座部２０ごとの両側には、それぞれ一対の肘掛け４０，４０が設けられている。さらに、各座部２０が左右に相対向する座席中央寄りの側方には、こちら側の肘掛け４０の前方に連なる位置に、上面側が肘掛け４０の延長部５０をなす袖部５１が設けられている。袖部５１は、座部２０の前端側にて側方を覆うように配置され、詳しくは後述するが、袖部５１にテーブルトップ６１が設けられている。
【００３６】
座席１０の土台であるベースフレーム１１は、フロア上に直接固定する基台１２に、各座部２０ごとの両側で左右一対に並ぶ側板１３，１３を立設し、各側板１３間の前方と後方をそれぞれ両側方向に延びる一対のシャフト１４，１４で連結して構成されている。ここで側板１３は、図示した形状に加工した金属製の板材から成り、シャフト１４は、金属製のパイプ材から成る。なお、基台１２に対してベースフレーム１１を、回転機構（図示せず）を介して略水平方向に１８０度回転可能に支持すれば、座席１０前後の逆向きに方向転換することができる。
【００３７】
座部２０は、その内部の座部フレームに発泡ウレタン等のクッション材を装着し、クッション材の座面を表皮材で被覆して構成される。同様に背凭れ３０も、その内部の背凭れフレーム３１にクッション材を装着し、クッション材の背凭れ面を表皮材で被覆して構成される。背凭れ３０には、その下端より延出した背凭れフレーム３１の左右両側に、前方へ突出する略三角形の支持ブラケット３２が一体に設けられている。この支持ブラケット３２の先端は、枢軸３３を介して座部２０の後端側に回動可能に支持されており、背凭れ３０は、枢軸３３を回動中心として、座部２０に対して所定の角度範囲で回動する。このような座部２０および背凭れ３０は、互いに連動するリクライニング動作が可能である。
【００３８】
また、座部２０の両側にある一対の肘掛け４０，４０は、それぞれ座部２０の側方を覆う袖状の側部４１の上面側に設けられている。かかる側部４１は上面側の肘掛け４０も含めて、板状の側部フレーム４２に、クッション材や表皮材等を被覆して構成され、座部２０（の座部フレーム）の両側に一体に固定されている。よって、肘掛け４０ないし側部４１は、座部２０のリクライニング動作と一体に変位し、その側部フレーム４２は、ベースフレーム１１の側板１３の内側に対向する状態に配置される。また、背凭れフレーム３１の支持ブラケット３２は、側部フレーム４２に対して回動可能に枢支されている。
【００３９】
一対の肘掛け４０，４０のうち座席中央寄りの肘掛け４０の前方には、前述した袖部５１が設けられている。袖部５１は、側部４１の前方に連なるように配置され、その上面側は、肘掛け４０に連続する延長部５０として構成されている。よって、袖部５１も上面側である延長部５０は肘掛けをなす。
【００４０】
袖部５１は、側部４１とほぼ同じ厚さの全体的に扁平な略立方体状であり、上面側の延長部５０も含めて、底浅な枠状の袖部フレーム５２に、クッション材や表皮材等を被覆して構成される。袖部５１の内部には、袖部フレーム５２の内側に沿うようにテーブルトップ６１を収納するための空間がある。なお、袖部５１は、側部４１と異なり変位可能に支持されており、前記リクライニング動作に連動するが、詳しくは後述する。
【００４１】
座席用テーブル６０ないし装置６０ａは、座席１０の側方に収納され、使用時に着座者の前方へ展開させるテーブルトップ６１を備えている。テーブルトップ６１は、着座者の前方に位置する座席１０の側方の前記袖部５１に設けられており、袖部５１には、テーブルトップ６１を立てた状態で収納する縦溝５３が形成されている。
【００４２】
テーブルトップ６１は、縦溝５３の開口５３ａより露出した一端側６２より縦溝５３から上方に引き出され、縦溝５３内に未だ残る他端側６３を回動中心として側方に傾倒されて、上面が略水平な状態に保持される。すなわち、テーブルトップ６１は、袖部５１の縦溝５３の内部に収納される格納状態と、該縦溝５３の外部に引き出され、袖部５１の上面側である延長部５０と同様に、略水平な状態に展開される使用状態とに変位可能である。
【００４３】
図５〜図７に示すように、縦溝５３は、袖部５１の内面側で細幅状に開口し、該袖部５１の内部を下方に延びている。縦溝５３は、座席１０の側方より外側に向かい斜め下方に傾斜するように形成されている。ここで「座席１０の側方」とは、２人掛けの座席全体の側方ではなく、各座部２０ごとに一つの座席と捉えた場合の側方、すなわち座部２０の側方の意味である。テーブルトップ６１は、縦溝５３の傾斜に沿って斜めに立てた状態で該縦溝５３内に収納される。
【００４４】
テーブルトップ６１は、例えば、合成樹脂や金属により全体的には横長矩形の板状に形成されている。テーブルトップ６１の一端側６２には、前記縦溝５３内に収納されている際に、該縦溝５３の開口５３ａより露出して着座者が指を掛ける取手６２ａが設けられている。かかる取手６２ａは、一端側６２の裏面側で端縁に沿って所定長さ延びた凹溝状に形成されている。
【００４５】
テーブルトップ６１の他端側６３には、前記縦溝５３から引き出す際に、該縦溝５３の開口５３ａ内側に留まる抜け止め用のストッパ６４が設けられており、ストッパ６４がテーブルトップ６１全体の回動中心となる。ここでストッパ６４は、他端側６３として区画された短い長さの端縁部位と、テーブルトップ６１の他の部位とを、互いに回動可能に連結するヒンジを兼ねている。
【００４６】
すなわち、ストッパ６４ないし他端側６３の前後幅は、テーブルトップ６１の他の部位より若干大きく、前記縦溝５３の開口５３ａの内縁を通過できない寸法に設定されている。よって、ストッパ６４ないし他端側６３は、テーブル使用時に縦溝５３内に留まり、テーブルトップ６１を使用状態に支持するための土台となる。なお、必ずしもストッパ６４自体が回動中心となるものに限らず、ストッパ６４の傍らに別途ヒンジ等の回動中心を設けても良い。
【００４７】
ストッパ６４であるヒンジには、該ヒンジを回動中心としてテーブルトップ６１を上面が略水平な状態に傾倒させた際に、当該回転角度に保持するための角度保持部が設けられている。すなわち、図７（ｂ）に示すように、ヒンジ自体の構造として、縦溝５３の傾斜に沿って斜めの状態に留まる他端側６３に対して、テーブルトップ６１の他の部位は直角より若干大きな所定角度までに回動が規制されることで、ちょうど水平な状態に保持できるように構成されている。
【００４８】
詳しく言えばヒンジ自体の構造として、角度保持部を、互いに整合する他端側６３と他の部位との端部同士が、前述した所定角度でちょうど係合する形状とすれば良い。ここでの所定角度は、水平方向に対する縦溝５３の具体的な傾斜角度に応じて適宜変更し得る設計事項である。なお、角度保持部は、ヒンジ自体の構造とは別に、他の周知の代替の手段によって構成しても良い。
【００４９】
また、テーブルトップ６１は、本実施の形態では１枚の一体物ではなく、両側方向に２枚のユニット６１ａ，６１ｂに分割され、各ユニット６１ａ，６１ｂ同士はそれぞれ折曲可能にヒンジ６１ｃを介して連結されている。ここでテーブルトップ６１の一端側６２を含むユニット６１ａは、もう一方の主要部をなすユニット６１ｂよりも、長さが短い小さな面積に形成されている。かかるテーブルトップ６１は、前記縦溝５３内に収納されている際に、各ユニット６１ａ，６１ｂは互いに上面が同一平面上に並び、前記縦溝５３から各ユニット単位で引き出すことが可能である。
【００５０】
各ユニット６１ａ，６１ｂ間のヒンジ６１ｃは、前述したストッパ６４が兼ねるヒンジと同様の構成であるが、ストッパとしての機能は不要である。かかるヒンジ６１ｃには、縦溝５３の開口５３ａより引き出されたユニット６１ａを、未だ縦溝５３内のユニット６１ｂに対して所定角度に折れ曲がり略水平な状態に保持する一方、前記縦溝５３の開口５３ａより引き出されたユニット６１ａ，６１ｂ同士では、互いに１８０度に連なる状態に保持する角度保持部が設けられている。
【００５１】
ヒンジ６１ｃにある角度保持部も、前記ストッパ６４の場合と同様に、互いに整合する各ユニット６１ａ，６１ｂの端部同士が、前述した所定角度でちょうど係合する形状とすれば良い。すなわち、ヒンジ６１ｃ自体の構造として、縦溝５３の傾斜に沿って斜めの状態に留まるユニット６１ｂに対して、ユニット６１ａは直角より若干大きな所定角度までに回動が規制され、かつ反対方向への回動範囲は互いに１８０度までに規制される係合関係に構成すると良い。なお、反対方向への回動範囲の規制は、前記ストッパ６４についても同様に構成すると良い。もちろん、ヒンジ自体の構造とは別に、他の周知の代替の手段によって回動範囲を規制しても良い。
【００５２】
次に、座席１０をリクライニング動作させるリクライニング機構について説明する。
リクライニング機構は、座席１０を、背凭れ３０が最も起立したアップライト姿勢（図１参照）から最も後傾したリクライニング姿勢（図４参照）へ変位させるものである。かかるリクライニング機構は、座部２０を後退させつつ前端よりも後端を大きく下降させる座部ガイド機構と、背凭れ３０を座部２０の動きに合わせて後退させつつ後方へ傾けながら下降させる背凭れガイド機構と、を有している。
【００５３】
図１、図４に示すように、座部ガイド機構は、前記ベースフレーム１１の側板１３の前後位置に設けられた２つのガイド溝７１，７２と、これらに対応して座部２０に設けられた２つの嵌合部７３，７４とから成る。詳しく言えば、ベースフレーム１１の側板１３は、座部２０の前後方向の長さに対応した長さを備えており、一方のガイド溝７１は、側板１３の前方位置に配置され、他方のガイド溝７２は、前記ガイド溝７１と離れた側板１３の中央よりやや後方位置に配置されている。
【００５４】
一方のガイド溝７１は、座部２０より前方かつ下方の位置に想定されたリクライニング動作の回動中心Ｐ（図１参照）を中心とする円周上に沿う円弧状に穿設されている。他方のガイド溝７２は、同じく回動中心Ｐを中心とする円周上に沿う円弧状に穿設されている。ここで一方のガイド溝７１の円弧の中心角と他方のガイド溝７２の円弧の中心角の大きさは同じであり、ガイド溝７２が回動中心Ｐより後方に離れているため、ガイド溝７２は、ガイド溝７１よりも下方に長く延びている。
【００５５】
一方のガイド溝７１に対応する嵌合部７３は、座部２０と一体の側部フレーム４２の下部外面側で前方位置より外側へ突出するように設けられている。かかる嵌合部７３は、ガイド溝７１内に移動可能に嵌合して案内される合成樹脂製のスライダーであり、ガイド溝７１の全長の所定長さ分だけ円弧状に延び、その上下端は半円形であり、ガイド溝７１の幅寸法よりも若干小さい幅で、ガイド溝７１より抜け落ちない厚さに成形されている。
【００５６】
他方のガイド溝７２に対応する嵌合部７４は、前記側部フレーム４２の下部外面側で後方位置より外側へ突出するように設けられている。かかる嵌合部７４も、ガイド溝７２内に移動可能に嵌合して案内される合成樹脂製のスライダーであり、前記嵌合部７３と同様な形状に合成樹脂で成形されている。なお、各嵌合部７３，７４はスライダーに限定されるものではなく、１ないし複数のローラーで構成しても良い。
【００５７】
このような座部ガイド機構によって、座席１０のリクライニング動作時に、座部２０は後端側が後退しつつ前端側より大きく下降するように変位する。詳しくは、座部２０の下方にある２つの嵌合部７３，７４が、それぞれ対応するガイド溝７１，７２内を下方に案内されつつ移動することで、座部２０は前述した変位に規制される。なお、座部ガイド機構を構成するガイド溝７１，７２と嵌合部７３，７４は、必ずしも２組に限定されるものではなく、次述する背凭れガイド機構との関係で１組だけで構成することも可能であり、また、３組以上により支持安定性を増すように構成しても良い。
【００５８】
また、背凭れガイド機構は、前記ベースフレーム１１の側板１３の後方位置に設けられた１つのガイド溝７５と、これに対応して背凭れ３０に設けられた１つの嵌合部７６とから成る。詳しく言えば、ガイド溝７５は、前記側板１３において前記ガイド溝７２よりもさらに後方位置で、後方に向かって斜めに延び上がるように穿設されている。ここでガイド溝７５は、必ずしも円弧状に延びる形状ではなく、前述した座部ガイド機構による座部２０の動きに伴って、座部２０に対する背凭れ３０の支持角度を、所定の角度範囲内で最適な角度に保つように案内する形状に設定される。
【００５９】
嵌合部７６は、前記背凭れフレーム３１の左右両側の下端より外側へ突出するように設けられている。かかる嵌合部７６は、ガイド溝７５内に移動可能に嵌合して案内される合成樹脂製のローラーであり、ガイド溝７５の幅寸法よりも若干小さい外径で、ガイド溝７５より抜け落ちない厚さに成形されている。なお、嵌合部７６であるローラーは回転可能に枢支されたものに限らず、回転不能に固定されたものでも良く、ローラーの代わりにスライダーとして構成しても良い。
【００６０】
このような背凭れガイド機構によって、座席１０のリクライニング動作時に、背凭れ３０は後方へ傾きながら下降する。詳しくは、背凭れ３０の下方にある嵌合部７６が、ガイド溝７５内を下方に案内されつつ移動することで、背凭れ３０は単に座部２０の変位分だけ後方へ傾き下降するだけでなく、座部２０に対する相対的な支持角度も、一定なものではなく枢軸３３を回動中心として所定の角度範囲内で最適な角度に傾くように規制される。
【００６１】
次に、テーブルトップ６１を設けた袖部５１を支持するための袖部ガイド機構について説明する。袖部５１は、前述したように片方の側部４１の前方に連なるように配置されているが、側部４１と同様に座部２０に固定されたものではなく、前記リクライニング動作に伴って変位可能に支持されている。すなわち、袖部５１は、その上面側である延長部５０の後端（詳しくは袖部フレーム５２の上部後端）が、前記肘掛け４０の前端（詳しくは側部フレーム４２の上部前端）にヒンジ５４を介して回動可能に連結されている。
【００６２】
よって、袖部５１全体は、側部４１との連結箇所であるヒンジ５４を回動中心として、上下方向に傾動可能となる。また、袖部５１は、前記連結箇所以外の他の部位も、袖部ガイド機構によって変位可能に支持されている。ここで袖部ガイド機構は、前記ベースフレーム１１の側板１３の前方位置に設けられたガイド溝７７と、これに対応して袖部５１に設けられた嵌合部７８とから成る。ガイド溝７７は、必ずしも円弧状に延びる形状ではなく、前述したリクライニング動作による肘掛け４０の動きに伴って、延長部５０を略水平な状態に維持しつつ追従させるように案内する形状に設定される。
【００６３】
嵌合部７８は、前記袖部フレーム５２の下部後端より、側板１３に重なる内側へ突出するように設けられている。かかる嵌合部７８は、ガイド溝７７内に移動可能に嵌合して案内される合成樹脂製のローラーであり、ガイド溝７７の幅寸法よりも若干小さい外径で、ガイド溝７７より抜け落ちない厚さに成形されている。なお、嵌合部７８も前記嵌合部７６と同様に、回転可能に枢支されたローラーに限らず、回転不能に固定されたものでも良く、ローラーの代わりにスライダーとして構成しても良い。
【００６４】
このような袖部ガイド機構と、ヒンジ５４を介した肘掛け４０との連結により、前記リクライニング動作による座部２０ないし肘掛け４０の傾きの変化に拘わらず、袖部５１全体は肘掛け４０の前端に対して回動しつつ、延長部５０が略水平な状態に維持される。その結果、袖部５１に設けられたテーブルトップ６１も、着座者の前方へ展開された使用時には、リクライニング動作に連動して、上面が略水平な状態に保たれると共に、着座者との距離も一定に保たれる。ここで、テーブルトップ６１において着座者側を向く端縁は、座席１０の側面視において前記肘掛け４０の前端に対して、該前端のリクライニング動作時の軌跡に沿って移動することになる。
【００６５】
また、図示省略したが前記ベースフレーム１１の内部には、座部２０および背凭れ３０を、任意の傾斜角度から最も前方へ起立したアップライト位置まで復元させると共に、任意の位置にて前記復元のロックが可能な動力源であるガススプリング等から成るダンパーが設けられている。かかるダンパーはロック機構を備えており、該ロック機構によって座部２０および背凭れ３０を任意の傾斜角度にロックできるように構成されている。
【００６６】
なお、ロック機構によるロックを解除するための操作部は、例えば前記側部４１の適所に設けると良い。かかる操作部によってロックを解除すると、ダンパーからの復元力に抗して背凭れ３０に体重をかけて押すことが可能となり、背凭れ３０を最も後方へ傾斜したリクライニング姿勢に至るまでの任意の位置に傾動させることができる。
【００６７】
さらに、図２、図９には示したが、座部２０の前端下方には、レッグレスト８０を設けても良い。レッグレスト８０は、駆動機構を介して下方へ垂下する収納位置と、前方へ延びる足載位置との間で移動可能に支持されている。なお、レッグレスト８０は、その駆動機構を前記リクライニング動作に連動させることで、座部２０がアップライト位置にある時は収納位置に支持される一方、座部２０がリクライニング姿勢に傾くのに伴い足載位置に移動するように構成しても良い。
【００６８】
次に、本実施の形態に係る座席１０の作用を説明する。  
図３に示すように、各座部２０の座席中央寄りの肘掛け４０の前方には袖部５１があり、該袖部５１の上面側は、肘掛け４０の前方に連なる延長部５０となるため、着座者はより広い範囲で腕を乗せることができる。この袖部５１の内側面には、テーブルトップ６１を収納する縦溝５３が形成されており、テーブルを使用しないとき、図５に示すように、テーブルトップ６１は縦溝５３内で折り畳まれることなく立てた状態で収納される。
【００６９】
このように、テーブルトップ６１が縦溝５３内に収納された格納状態にあるとき、テーブルトップ６１の上方を向く一端側６２は、縦溝５３の上端の開口５３ａより露出しており、その存在を外部から容易に目視することができる。  
テーブルを使用するときは、テーブルトップ６１を、そのまま一端側６２より縦溝５３から上方に引き出せば良い。一端側６２の裏面側には、端縁に沿って凹溝状に形成された取手６２ａがあるため、着座者は一端側６２を掴みやすく、縦溝５３内から容易に引き出すことができる。
【００７０】
図６に示すように、テーブルトップ６１のうち、一端側６２側の小さいユニット６１ａだけを使用する場合は、ヒンジ６１ｃの部位まで縦溝５３の開口５３ａより引き出す。引き出されたユニット６１ａは、ヒンジ６１ｃを回動中心として側方に傾倒され、略水平な使用状態に支持される。ヒンジ６１ｃには角度保持部があるため、ユニット６１ａは、未だ縦溝５３内に残った他方のユニット６１ｂに対して、直角より若干大きな所定角度に回動が規制されることで水平な状態に保持される。なお、ユニット６１ａの表面側には、コップ等を保持する窪みが設けられている。
【００７１】
図７に示すように、テーブルトップ６１全体を使用する場合は、一方のユニット６１ａだけでなく他方のユニット６１ｂも、そのまま縦溝５３から上方に引き出し、縦溝５３内に留まるストッパ６４を回動中心として側方に傾倒させる。ここでストッパ６４が兼ねるヒンジにも、前記ヒンジ６１ｃと同様の角度保持部があるため、引き出されたユニット６１ｂは、未だ縦溝５３内に残った他端側６３に対して、直角より若干大きな所定角度に回動が規制されることで水平な状態に保持される。
【００７２】
なお、前記ヒンジ６１ｃの角度保持部は、各ユニット６１ａ，６１ｂが互いに開く方向へは１８０度に規制するが、各ユニット６１ａ，６１ｂが互いに閉じる方向へは、前記所定角度での規制となる。よって、各ユニット６１ａ，６１ｂが互いに１８０度に連なる状態から閉じないように規制する手段も別途必要となる。具体的には例えば、最外端であるユニット６１ａの少なくとも一部を、座部２０の反対側の肘掛け４０ないしその付属物上に載置するようにしたり、あるいは、ヒンジ６１ｃ自体の角度保持部とは別に、各ユニット６１ａ，６１ｂが１８０度より閉じない状態にも選択的に規制可能な周知のロック手段等を設けることになる。
【００７３】
以上のように、テーブルトップ６１は基本的には、そのまま縦溝５３から引き出し傾倒させるだけの一連の動作で、上面が略水平な状態に保持することができる。また、テーブルトップ６１を収納する際は、そのまま逆の動作で縦溝５３内に戻すことができる。このような簡単な操作だけでテーブルトップ６１を取り扱うことができ、従来の肘掛けのようにカバーや折り畳まれて重なり合うようなテーブルを開閉する必要はなく、折り畳まれたテーブルの開閉時に指が挟まれる虞もなくなり安全性も向上する。
【００７４】
特に、前記縦溝５３は袖部５１の内側面に開口しており、着座者からは視認しやすい位置となり、なおさら容易に確認することができる。また、縦溝５３は、その開口５３ａより袖部５１の内部を、側方に向かって斜め下方に傾斜するように延びている。これにより、テーブルトップ６１を鉛直方向に出し入れする場合に比べて、引き上げ操作の負担が軽減されると共に、戻す際の落下速度も緩和される。また、本実施の形態のように、テーブルトップ６１が、その両側方向に複数のユニット６１ａ，６１ｂに分割されている場合は、縦溝５３から各ユニット６１ａ，６１ｂ単位で引き出して使用することができる。
【００７５】
次に、座席１０全体のリクライニング動作について説明する。  
座席１０は、座部２０と背凭れ３０が互いに連動するリクライニング動作が可能であり、図１に示すアップライト姿勢ないし図４に示すリクライニング姿勢の間で、着座者は所望の姿勢に適宜調整することができる。着座者が前記ロック機構のロックを解除して、座席１０の後方へ体重をかけると、前記ダンパーの復元力に抗して座部２０と背凭れ３０の姿勢は変化する。
【００７６】
ここで、座部２０の動きは座部ガイド機構によって規制される。すなわち、座部２０にある各嵌合部７３，７４が、側板１３にある各ガイド溝７１，７２内をスライドしつつ案内される。また、背凭れ３０の動きは背凭れガイド機構によって規制される。すなわち、背凭れ３０にある嵌合部７６が、側板１３にあるガイド溝７５内をスライドしつつ案内される。
【００７７】
図１に示すアップライト姿勢では、各ガイド溝７１，７２の上端に各嵌合部７３，７４は位置し、同じくガイド溝７５の上端に嵌合部７６は位置している。図４に示すリクライニング姿勢に至ると、各嵌合部７３，７４は各ガイド溝７１，７２の下端まで移動し、嵌合部７６もガイド溝７５の下端まで移動する。
【００７８】
このような座部ガイド機構によって、座部２０は図１に示した回動中心Ｐを中心に回動する。その結果、座部２０は後端側が後退しつつ前端側より大きく下降するように変位する。ここで回動中心Ｐは、座部２０より前方かつ下方の位置、すなわち着座者のくるぶし付近に想定されており、背凭れ３０後方への倒れ込みを最小限に抑えつつ、十分な傾斜角度を得ることができる。
【００７９】
また、背凭れガイド機構によって、背凭れ３０は、座部２０の後端側と一緒に後方へ傾きながら下降する。しかも、背凭れ３０は、支持ブラケット３２の枢軸３３を回動中心として、座部２０自体に対しても後方へ所定の角度範囲で後方へ傾く。ここでの角度範囲は、例えば椅子をデザインする際に必須となるプロトタイプ（例えば『インテリアの人間工学』，産調出版（株）等参考）の各タイプを維持できる範囲に設定すると良い。
【００８０】
このようなリクライニング動作によれば、尻ズレ現象や背ズレ現象を確実に防ぐことができ、これらの現象に起因するような疲労や不快感を解消でき、より快適な座り心地を得ることができる。しかも、リクライニング前後ないし途中のどの位置においても、背凭れ３０は、座部２０の変位に応じて常に座部２０に対して理想的な角度に維持することができる。
【００８１】
次に、座席１０のリクライニング動作に伴う袖部５１ないしテーブルトップ６１の変位について説明する。肘掛け４０は座部２０に一体に取り付けられているため、座部２０に対する肘掛け４０の相対的な位置は、リクライニング動作によって変化することはないが、肘掛け４０の延長部５０は変化する。すなわち、延長部５０を含む袖部５１は、リクライニング動作に応じて肘掛け４０が傾いても、袖部ガイド機構によって常に延長部５０が略水平な状態に保たれる。
【００８２】
図８に示すように、袖部５１は、延長部５０の後端が連結された肘掛け４０の前端に対して、ヒンジ５４を回動中心として上下方向に傾動する。このとき、袖部５１の下部後端にある嵌合部７８は、袖部５１の上面側である延長部５０を略水平な状態に保つように、側板１３にあるガイド溝７７内をスライドしつつ案内される。
【００８３】
図１に示すアップライト姿勢では、ガイド溝７７の上端に嵌合部７８は位置しているが、図４に示すリクライニング姿勢に至ると、嵌合部７８はガイド溝７７の下端まで移動する。ここでガイド溝７７は、嵌合部７８のリクライニング動作に連動する動きの軌跡に沿って延びており、このガイド溝７７に沿って嵌合部７８は案内される。
【００８４】
このような袖部ガイド機構によって、袖部５１はリクライニング動作に拘わらず、上面側の延長部５０が略水平な状態に維持される。その結果、使用状態にあるテーブルトップ６１も、着座者の前方で略水平な状態に維持され、着座者との距離も一定に保たれる。従って、リクライニング動作に伴って、テーブルトップ６１と着座者の相対的な位置関係が、離れたり傾いたり等と使いづらい状態に変化することはなく、着座者は常にテーブルを快適に使用することができる。
【００８５】
ここで「略水平な状態」とは、厳密な意味での水平だけを意味するものではなく、ほぼ水平に視認できる程度で足りる。また「着座者との距離も一定」とは、厳密な意味での一定だけを意味するものではなく、着座者の主観としてほぼ変化がないと認識できる程度で足りる。
【００８６】
以上のような袖部ガイド機構や、座部ガイド機構および背凭れガイド機構は、それぞれベースフレーム１１の側板１３を利用することで簡易に構成することができる。なお、本実施の形態では、袖部５１の袖部フレーム５２に嵌合部７８を設け、ベースフレーム１１に、嵌合部７８がスライド可能に案内されるガイド溝７７を設けたが、逆の態様として、袖部フレーム５２にガイド溝７７を設け、ベースフレーム１１に嵌合部７８を設けても良い。ただし、ベースフレーム１１の方がガイド溝７７の配置スペースを大きく確保することができる。座部ガイド機構および背凭れガイド機構の各ガイド溝７１，７２，７５と各嵌合部７３，７４，７６の関係についても同様である。
【００８７】
なお、本発明の実施の形態を図面によって説明してきたが、具体的な構成はこれらの実施の形態に限られるものではなく、本発明の要旨を逸脱しない範囲における変更や追加があっても本発明に含まれる。例えば、図示した座部２０や背凭れ３０の形状や、傾斜角度等は一例であり、これに限定されるものではない。また、本実施の形態では２人掛け用の座席を例に説明したが、１人掛け用あるいは３人掛け用であってもかまわない。また、鉄道車両用の座席に限られるものでもない。
【００８８】
また、前記実施の形態では、座部２０に対して背凭れ３０をある程度は傾動可能に支持したが、所定の傾斜角度で一体に支持しても良い。この場合、前記リクライニング動作は、座部２０に対する背凭れ３０の支持角度が一定に保たれた状態で、座部２０の後端側は後退しつつ前端側より大きく下降し、該座部２０の動きに伴い背凭れ３０も、そのまま後方へ傾きながら下降することになる。
【００８９】
さらに、図示省略したが、テーブルトップ６１の一端側６２は、該テーブルトップ６１を上面が略水平な状態に傾倒させた際に、該テーブルトップ６１が収納される側とは反対側の座席１０側方に設けられた肘掛け４０上に支持されるように構成しても良い。これにより、テーブルトップ６１は、一端側６２の角度保持部のみならず、他端側６３でも略水平な状態で支持されることになり、この自由端である他端側６３がガタつくことがなく、安定性が増して重量物でも載置することが可能となる。
【００９０】
具体的には例えは、反対側の肘掛け４０の前方への長さを、テーブルトップ６１の一端側６２が重なる程度に延ばしたり、あるいは、反対側の肘掛け４０の前端より支持片を出没させるように構成することも考えられる。
【産業上の利用可能性】
【００９１】
本発明は、特に鉄道車両、航空機、自動車船舶等の客室内に設置される乗物用の座席、あるいは一般の椅子にも広く利用することができる。
【符号の説明】
【００９２】
１０…座席
１１…ベースフレーム
１２…基台
１３…側板
１４…シャフト
２０…座部
３０…背凭れ
３１…背凭れフレーム
３２…支持ブラケット
３３…枢軸
４０…肘掛け
４１…側部
４２…側部フレーム
５０…延長部
５１…袖部
５２…袖部フレーム
５３…縦溝
５４…ヒンジ
６０…座席用テーブル
６０ａ…座席用テーブル装置
６１…テーブルトップ
６１ａ…ユニット
６１ｂ…ユニット
６１ｃ…ヒンジ
６２…一端側
６２ａ…取手
６３…他端側
６４…ストッパ
７１…ガイド溝
７２…ガイド溝
７３…嵌合部
７４…嵌合部
７５…ガイド溝
７６…嵌合部
７７…ガイド溝
７８…嵌合部
【図１】
2016120771.tif 000003
【図２】
2016120771.tif 000004
【図３】
2016120771.tif 000005
【図４】
2016120771.tif 000006
【図５】
2016120771.tif 000007
【図６】
2016120771.tif 000008
【図７】
2016120771.tif 000009
【図８】
2016120771.tif 000010
【図９】
2016120771.tif 000011
【図１０】
2016120771.tif 000012